(57)【要約】【課題】コンテンツを対象とした処理を迅速且つ確実に実行開始し得るようにする。【解決手段】テレビ番組の映像に対応した絵柄でなる映像オブジェクト１０７Ａ￣１０７Ｉを表示部６に表示すると共に、映像表示プログラム、録画プログラム、静止画像キャプチャプログラム及び番組情報表示プログラムのそれぞれと対応付けられた視聴オブジェクト１０２Ａ、１０２Ｂ、録画オブジェクト１０３、静止画像キャプチャオブジェクト１０４及び番組情報表示オブジェクト１０５を表示部６に表示する。ユーザは所望のテレビ番組に対応する映像オブジェクトと、所望の処理を実行するためのプログラムに対応付けられたオブジェクト（例えば、視聴オブジェクト１０２Ａ）とを関連付ける操作を行うだけで、かかる所望のテレビ番組を対象とした所望の処理を確実に実行開始させることができる。【選択図】　　　　図４
2004104714.tif 000002
【特許請求の範囲】
【請求項１】
コンテンツの映像に対応した絵柄でなる映像オブジェクトを表示すると共に、コンテンツ処理プログラムに対応付けられたプログラム起動オブジェクトを表示する表示手段と、
上記映像オブジェクトと上記プログラム起動オブジェクトとが関連付けられたことを検出する検出手段と、
上記検出手段によって関連付けが検出された上記映像オブジェクトに対応する上記コンテンツを、上記検出手段によって関連付けが検出された上記プログラム起動オブジェクトに対応する上記コンテンツ処理プログラムで処理する処理手段と
を具えることを特徴とするコンテンツ管理装置。
【請求項２】
上記コンテンツの上記映像に基づいて上記映像オブジェクトの上記絵柄を逐次更新する絵柄更新手段
を具えることを特徴とする請求項１に記載のコンテンツ管理装置。
【請求項３】
上記検出手段によって上記映像オブジェクトと上記プログラム起動オブジェクトとが関連付けられたことを検出した際、当該映像オブジェクト及びプログラム起動オブジェクトを重ね合わせた状態で上記表示手段に対して表示する表示制御手段
を具えることを特徴とする請求項１に記載のコンテンツ管理装置。
【請求項４】
上記処理手段は、
上記検出手段によって関連付けが検出された上記映像オブジェクトに対応する上記コンテンツを、上記検出手段によって関連付けが検出された上記プログラム起動オブジェクトに対応する上記コンテンツ処理プログラムで処理することにより、当該コンテンツの上記映像を所定の映像表示手段に表示する
ことを特徴とする請求項１に記載のコンテンツ管理装置。
【請求項５】
上記処理手段は、
上記検出手段によって関連付けが検出された上記映像オブジェクトに対応する上記コンテンツを、上記検出手段によって関連付けが検出された上記プログラム起動オブジェクトに対応する上記コンテンツ処理プログラムで処理することにより、当該コンテンツの上記映像から任意の１シーンを抽出する
ことを特徴とする請求項１に記載のコンテンツ管理装置。
【請求項６】
上記処理手段は、
上記検出手段によって関連付けが検出された上記映像オブジェクトに対応する上記コンテンツを、上記検出手段によって関連付けが検出された上記プログラム起動オブジェクトに対応する上記コンテンツ処理プログラムで処理することにより、当該コンテンツの上記映像を所定の記憶手段に記憶する
ことを特徴とする請求項１に記載のコンテンツ管理装置。
【請求項７】
上記処理手段は、
上記検出手段によって関連付けが検出された上記映像オブジェクトに対応する上記コンテンツを、上記検出手段によって関連付けが検出された上記プログラム起動オブジェクトに対応する上記コンテンツ処理プログラムで処理することにより、当該コンテンツの付随情報を所定の付随情報表示手段に表示する
ことを特徴とする請求項１に記載のコンテンツ管理装置。
【請求項８】
所定の表示手段に対して、コンテンツの映像に対応した絵柄でなる映像オブジェクトを表示すると共に、コンテンツ処理プログラムに対応付けられたプログラム起動オブジェクトを表示する表示ステップと、
上記映像オブジェクトと上記プログラム起動オブジェクトとが関連付けられたことを検出する検出ステップと、
上記検出ステップによって関連付けが検出された上記映像オブジェクトに対応する上記コンテンツを、上記検出ステップによって関連付けが検出された上記プログラム起動オブジェクトに対応する上記コンテンツ処理プログラムで処理する処理ステップと
を具えることを特徴とするコンテンツ管理方法。
【請求項９】
コンテンツ管理装置に、
所定の表示手段に対して、コンテンツの映像に対応した絵柄でなる映像オブジェクトを表示すると共に、コンテンツ処理プログラムに対応付けられたプログラム起動オブジェクトを表示する表示ステップと、
上記映像オブジェクトと上記プログラム起動オブジェクトとが関連付けられたことを検出する検出ステップと、
上記検出ステップによって関連付けが検出された上記映像オブジェクトに対応する上記コンテンツを、上記検出ステップによって関連付けが検出された上記プログラム起動オブジェクトに対応する上記コンテンツ処理プログラムで処理する処理ステップと
を実行させるためのコンテンツ管理プログラム。
【請求項１０】
コンテンツ管理装置に、
所定の表示手段に対して、コンテンツの映像に対応した絵柄でなる映像オブジェクトを表示すると共に、コンテンツ処理プログラムに対応付けられたプログラム起動オブジェクトを表示する表示ステップと、
上記映像オブジェクトと上記プログラム起動オブジェクトとが関連付けられたことを検出する検出ステップと、
上記検出ステップによって関連付けが検出された上記映像オブジェクトに対応する上記コンテンツを、上記検出ステップによって関連付けが検出された上記プログラム起動オブジェクトに対応する上記コンテンツ処理プログラムで処理する処理ステップと
を具えることを特徴とするコンテンツ管理プログラムを実行させるコンテンツ管理プログラム格納媒体。
【発明の詳細な説明】
【０００１】
【発明の属する技術分野】
本発明はコンテンツ管理装置に関し、例えばノート型パーソナルコンピュータに適用して好適なものである。
【０００２】
【従来の技術】
近年、テレビチューナを有することにより種々のテレビ番組を受像し得るようになされたパーソナルコンピュータ（ノート型パーソナルコンピュータやデスクトップ型パーソナルコンピュータ）が普及し始めている。
【０００３】
このようなパーソナルコンピュータとして、例えば、テレビ番組の映像を表示部にリアルタイムで表示して当該テレビ番組をユーザに視聴させる映像表示処理、テレビ番組を録画する録画処理、ＥＰＧ（電子番組表　：　Ｅｌｅｃｔｒｉｃ　Ｐｒｏｇｒａｍ　Ｇｕｉｄｅ）を表示部に表示するＥＰＧ表示処理等の多種多様な処理を実行するようになされたものがある。（例えば、特許文献１参照）
【０００４】
【特許文献１】
特開２００２　１３５７００号公報（第４頁、第６頁及び第１１頁、図１及び図１６）
【０００５】
【発明が解決しようとする課題】
ところでかかる構成のパーソナルコンピュータにおいては、例えばユーザにテレビ番組を視聴させる場合、操作入力部を介して多種多様の処理の中から映像表示処理を選択する選択操作を行わせると共に、視聴対象のテレビ番組を特定するための情報（例えば、テレビ番組の名称やチャンネル番号等）を入力させなければならない。
【０００６】
これにより、ユーザがテレビ番組の視聴を所望してから当該テレビ番組を対象とした映像表示処理を実行開始するまでにかなりの時間を要してしまうという問題があった。
【０００７】
本発明は以上の点を考慮してなされたもので、コンテンツを対象とした処理を迅速且つ確実に実行開始し得るコンテンツ管理装置を実現しようとするものである。
【０００８】
【課題を解決するための手段】
かかる課題を解決するために本発明においては、コンテンツの映像に対応した絵柄でなる映像オブジェクトを表示すると共に、コンテンツ処理プログラムに対応付けられたプログラム起動オブジェクトを表示する表示手段と、映像オブジェクトとプログラム起動オブジェクトとが関連付けられたことを検出する検出手段と、検出手段によって関連付けが検出された映像オブジェクトに対応するコンテンツを、検出手段によって関連付けが検出されたプログラム起動オブジェクトに対応するコンテンツ処理プログラムで処理する処理手段とを設けるようにした。
【０００９】
ユーザは所望のコンテンツに対応する映像オブジェクトと、所望の処理を実行するためのプログラムに対応付けられたプログラム起動オブジェクトとを関連付ける操作を行うだけで、かかる所望のコンテンツを対象とした所望の処理を確実に実行開始させることができる。
【００１０】
【発明の実施の形態】
以下図面について、本発明の一実施の形態を詳述する。
【００１１】
（１）ノート型パーソナルコンピュータの構成
図１において、１は全体としてノート型パーソナルコンピュータ（以下、これをノートパソコンと呼ぶ）を示し、当該ノートパソコン１を統括的に制御するための制御部２に対してワークエリアとしてのメモリ３が接続されている。
【００１２】
実際上、制御部２はＣＰＵ（Ｃｅｎｔｒａｌ　Ｐｒｏｃｅｓｓｉｎｇ　Ｕｎｉｔ）２Ａと、当該ＣＰＵ２Ａ及びメモリ３等をコントロールするためのノースブリッジ（Ｎｏｒｔｈ　Ｂｒｉｄｇｅ）２Ｂとを有している。
【００１３】
そしてこの制御部２には、ＰＣＩ（Ｐｅｒｉｐｈｅｒａｌ　Ｃｏｍｐｏｎｅｎｔ　Ｉｎｔｅｒｃｏｎｎｅｃｔ）バス４を介してＭＰＥＧ（Ｍｏｖｉｎｇ　Ｐｉｃｔｕｒｅ　Ｅｘｐｅｒｔｓ　Ｇｒｏｕｐ）エンコーダ５、液晶ディスプレイでなる表示部６を制御するための表示制御部７、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ）１３９４仕様に準拠して図示しない外部機器と接続するためのＩＥＥＥ１３９４インターフェース８、無線通信機能を有するＰＣカード等が挿入されるためのＰＣカードインターフェース９及びサウスブリッジ（Ｓｏｕｔｈ　Ｂｒｉｄｇｅ）１０が接続されている。
【００１４】
このサウスブリッジ１０に対しては、ハードディスクドライブ（Ｈａｒｄ　Ｄｉｓｋ　Ｄｒｉｖｅ）１１、ブルートゥース（Ｂｌｕｅｔｏｏｔｈ）に準拠した無線通信機能を提供するためのブルートゥースモジュール１２、メモリスティック（ソニー（株）商標）が挿入されるためのメモリスティックインターフェース１３、ＵＳＢ（Ｕｎｉｖｅｒｓａｌ　Ｓｅｒｉａｌ　Ｂｕｓ）仕様に準拠して図示しない外部機器と接続するためのＵＳＢインターフェース１４、操作入力部１５を制御するための操作入力制御部１６、インターネットやＬＡＮ（Ｌｏｃａｌ　Ａｒｅａ　Ｎｅｔｗｏｒｋ）等の外部ネットワークと接続するためのネットワークインターフェース１７が接続されている。
【００１５】
操作入力部１５は、キーボード１５Ａ、ポインティングデバイスとして機能するタッチパッド１５Ｂ、左ボタン１５Ｃ及び右ボタン１５Ｄ（これらは、一般的なマウスにおける左クリックボタン及び右クリックボタンに相当する）によって構成されている。ユーザは、タッチパッド１５Ｂに対して指を接触させた状態で当該指を移動させることにより、表示部６に表示されるポインタ（後述する）の移動操作を行い得るようになされている。
【００１６】
ところで、このノートパソコン１は地上放送受信アンテナ（図示せず）と接続しており、例えば地上放送局（図示せず）から送出されたテレビ放送波をかかる地上放送受信アンテナを介してノートパソコン１内部に取り込むと、当該取り込んだテレビ放送波を第１テレビチューナ１８Ａ、第２テレビチューナ１８Ｂ及び第３テレビチューナ１８Ｃのそれぞれに対して入力するようになされている。
【００１７】
第１テレビチューナ１８Ａ、第２テレビチューナ１８Ｂ及び第３テレビチューナ１８Ｃのそれぞれは、制御部２から個別に与えられた命令に基づいてかかるテレビ放送波に対し所定の選局処理及び復調処理を個別に実行することにより、当該命令に基づくチャンネル番号に対応したテレビ信号Ｓ１Ａ、Ｓ１Ｂ、Ｓ１Ｃを生成し、当該生成したテレビ信号Ｓ１Ａ、Ｓ１Ｂ、Ｓ１Ｃのそれぞれを第１ビデオデコーダ１９Ａ、第２ビデオデコーダ１９Ｂ及び第３ビデオデコーダ１９Ｃに対して入力する。
【００１８】
第１ビデオデコーダ１９Ａ、第２ビデオデコーダ１９Ｂ及び第３ビデオデコーダ１９Ｃのそれぞれは、制御部２から個別に与えられた命令に基づいてテレビ信号Ｓ１Ａ、Ｓ１Ｂ、Ｓ１Ｃに対して所定の復号化処理を実行することにより、ビデオ信号Ｓ２Ａ、Ｓ２Ｂ、Ｓ２Ｃをそれぞれ生成するようになされている。
【００１９】
そして制御部２は、第１ビデオデコーダ１９Ａ、第２ビデオデコーダ１９Ｂ及び第３ビデオデコーダ１９Ｃを個別に制御することにより、これら第１ビデオデコーダ１９Ａ、第２ビデオデコーダ１９Ｂ及び第３ビデオデコーダ１９Ｃのそれぞれにおいて生成されたビデオ信号Ｓ２Ａ、Ｓ２Ｂ、Ｓ２ＣをＭＰＥＧエンコーダ５又は表示制御部７に対して入力するようになされている。
【００２０】
例えば制御部２は、この３種類のビデオ信号Ｓ２Ａ、Ｓ２Ｂ、Ｓ２Ｃを表示制御部７に対して入力することにより、当該ビデオ信号Ｓ２Ａ、Ｓ２Ｂ、Ｓ２Ｃに基づく３種類のテレビ番組の映像を表示部６に対して同時に表示し得るようになされている。
【００２１】
また制御部２は、かかる３種類のビデオ信号Ｓ２Ａ、Ｓ２Ｂ、Ｓ２ＣをＭＰＥＧエンコーダ５に対して入力すると、ＭＰＥＧエンコーダ５を制御することによって３種類のビデオ信号Ｓ２Ａ、Ｓ２Ｂ、Ｓ２Ｃのそれぞれに対してＭＰＥＧ方式に準拠した圧縮符号化処理等を実行することにより、圧縮されたビデオデータＤ１Ａ、Ｄ１Ｂ、Ｄ１Ｃを生成し、当該生成したビデオデータＤ１Ａ、Ｄ１Ｂ、Ｄ１Ｃを例えばハードディスクドライブ１１に記録するようになされている。
【００２２】
一方、ハードディスクドライブ１１には、基本プログラム、テレビ番組を表示部６にリアルタイムで表示することにより当該テレビ番組をユーザに視聴させるための映像表示プログラム、テレビ番組を録画するための録画プログラム、テレビ番組の映像から任意時点の１シーンを静止画像として抽出するための静止画像キャプチャプログラム、これまで放送された又はこれから放送されるテレビ番組の番組情報（例えば、テレビ番組の内容や出演者等の情報）を表示するための番組情報表示プログラム及び後述するテレビ番組管理プログラム等の各種プログラムが予め格納されている。
【００２３】
制御部２はハードディスクドライブ１１に格納されたこれら各種プログラムをサウスブリッジ１０及びＰＣＩバス４を介して適宜読出し、これをメモリ３に展開することにより、ノートパソコン１における各回路部を制御して各種処理を実行するようになされている。
【００２４】
例えば制御部２は、操作入力部１５を介してユーザ所望のチャンネル番号のテレビ番組を録画するための録画操作が行われたことを認識すると、録画プログラムに従ってテレビ番組を録画する録画処理を実行する。
【００２５】
実際上、このとき制御部２は、例えば第１テレビチューナ１８Ａ及び第１ビデオデコーダ１９Ａを制御することにより、ユーザ所望のチャンネル番号に対応するテレビ信号Ｓ１Ａ及びビデオ信号Ｓ２Ａを順次生成してこれをＭＰＥＧエンコーダ５に対して入力した後、続けてＭＰＥＧエンコーダ５を制御することによりビデオデータＤ１Ａを生成してこれをハードディスクドライブ１１に対して記録するようになされている。
【００２６】
また制御部２は、操作入力部１５を介してユーザ所望のチャンネル番号のテレビ番組の映像から１シーンを静止画像として得るための静止画像キャプチャ操作が行われたことを認識すると、静止画像キャプチャプログラムに従ってかかる１シーンの静止画像をハードディスクドライブ１１に記録する静止画像キャプチャ処理を実行する。
【００２７】
実際上、このとき制御部２は、静止画像キャプチャ操作が行われたことを認識した時点のみにおいて例えば第２テレビチューナ１８Ｂ及び第２ビデオデコーダ１９Ｂを制御することにより、ユーザ所望のチャンネル番号に対応するテレビ信号Ｓ１Ｂ及びビデオ信号Ｓ２Ｂを１静止画像分のみ順次生成する。
【００２８】
そして制御部２は、かかる１静止画像分のビデオ信号Ｓ２ＢをＭＰＥＧエンコーダ５に対して入力しつつ当該ＭＰＥＧエンコーダ５を制御することにより１静止画像分のビデオデータＤ１Ｂを生成し、これをハードディスクドライブ１１に対して記録するようになされている。
【００２９】
因みに制御部２は、操作入力部１５を介してユーザ所望のテレビ番組の番組情報を表示するための番組情報表示操作が行われたことを認識すると、番組情報表示プログラムに従ってかかるテレビ番組の番組情報を表示部６に表示する番組情報表示処理を実行する。
【００３０】
実際上、このとき制御部２は、例えばネットワークインターフェース１７を制御してインターネット（図示せず）に接続した後、当該インターネットを介してＥＰＧデータを配信するためのＥＰＧ配信サーバ（図示せず）にアクセスすることにより、かかるユーザ所望のテレビ番組に対応するＥＰＧデータを取得し、当該取得したＥＰＧデータに基づいてテレビ番組の番組情報を表示部６に表示するようになされている。
【００３１】
（２）テレビ番組管理処理
ところで制御部２は、操作入力部１５を介して所定操作が行われることによりテレビ番組管理プログラムが起動されると、テレビ番組管理処理を実行するようになされている。すなわち制御部２は、図２に示すテレビ番組管理処理手順ＲＴ１のステップＳＰ１から入って、次のステップＳＰ２へ移る。
【００３２】
ステップＳＰ２において制御部２は、例えば図３に示すようなテレビ番組管理画面１００を表示部６に表示し、次のステップＳＰ３へ移る。
【００３３】
このテレビ番組管理画面１００には、その中央上側に格子状のサムネイル表示フレーム１０１が表示されており、当該サムネイル表示フレーム１０１の内部には、テレビ番組の映像を縮小サイズで表示するための縮小映像表示領域１０１Ａ￣１０１Ｉが設定されている。
【００３４】
そしてサムネイル表示フレーム１０１の両側には、映像表示プログラムを起動するための視聴オブジェクト１０２Ａ、１０２Ｂがアイコンとして表示されている。またテレビ番組管理画面１００の下側には、録画プログラムを起動するための録画オブジェクト１０３、静止画像キャプチャプログラムを起動するための静止画像キャプチャオブジェクト１０４及び番組情報表示プログラムを起動するための番組情報表示オブジェクト１０５のそれぞれがアイコンとして表示されている。
【００３５】
加えてこのテレビ番組管理画面１００には、操作入力部１５のタッチパッド１５Ｂを介して移動操作が行われると当該移動操作に応じて移動表示されるポインタ１０６が存在し、当該ポインタ１０６によって視聴オブジェクト１０２Ａ、１０２Ｂ、録画オブジェクト１０３、静止画像キャプチャオブジェクト１０４及び番組情報表示オブジェクト１０５等の様々なオブジェクトが選択されるようになされている。
【００３６】
ステップＳＰ３において制御部２は、後述するドラッグアンドドロップ操作検出処理を実行開始すると共に、サムネイル生成処理を実行開始することにより、例えば図４に示すようにサムネイル表示フレーム１０１における縮小映像表示領域１０１Ａ￣１０１Ｉのそれぞれに対して、現在放送中である複数種類のテレビ番組のそれぞれの映像における１シーンを絵柄とした映像オブジェクト１０７Ａ￣１０７Ｉをアイコンとして表示し、次のステップＳＰ４へ移る。
【００３７】
ステップＳＰ４において制御部２は、テレビ番組管理処理を終了するための終了操作が行われるのを待ち受けており、ここで肯定結果が得られると、このことは操作入力部１５を介してかかる終了操作が行われたことを意味しており、次のステップＳＰ５へ移る。
【００３８】
ステップＳＰ５において制御部２は、サムネイル生成処理及びドラッグアンドドロップ操作検出処理を終了し、次のステップＳＰ６へ移ってテレビ番組管理処理を終了する。
【００３９】
（２−１）ドラッグアンドドロップ操作検出処理
ここでは最初に、テレビ番組管理処理手順ＲＴ１のステップＳＰ３において実行開始されるドラッグアンドドロップ操作検出処理について、図５及び図６に示すフローチャートを用いて説明する。
【００４０】
制御部２はドラッグアンドドロップ操作検出処理手順ＲＴ２のステップＳＰ１０から入り、次のステップＳＰ１１において、操作入力部１５における左ボタン１５Ｃが押下操作されたか否かを判断するようになされており、ここで肯定結果が得られると、このことは左ボタン１５Ｃが押下操作されたことを意味しており、次のステップＳＰ１２へ移る。
【００４１】
ステップＳＰ１２において制御部２は、上述のステップＳＰ１１において左ボタン１５Ｃが押下操作された際、テレビ番組管理画面１００におけるポインタ１０６が映像オブジェクト１０７Ａ￣１０７Ｉの何れかの上に位置していたか否かを判断するようになされており、ここで否定結果が得られると、上述のステップＳＰ１１に戻って左ボタン１５Ｃが再度押下操作されるのを待ち受ける。
【００４２】
これに対してステップＳＰ１２において肯定結果が得られると、このことはテレビ番組管理画面１００におけるポインタ１０６が映像オブジェクト１０７Ａ￣１０７Ｉの何れかの上に位置していたことを意味しており、このとき制御部２は、例えばポインタ１０６の位置していた場所がチャンネル番号「１」のテレビ番組「おはようニュース」に対応する映像オブジェクト１０７Ａ上であったと認識すると、次のステップＳＰ１３へ移る。
【００４３】
ステップＳＰ１３において制御部２は、映像オブジェクト１０７Ａに対応するチャンネル番号「１」を第１の属性情報としてメモリ３に一時記憶し、上述のステップＳＰ１１へ戻る。
【００４４】
２度目のステップＳＰ１１において制御部２は、左ボタン１５Ｃが押下操作されたか否かを再度判断し、ここでは否定結果が得られると、このことは左ボタン１５Ｃが押下操作され続けているか、左ボタン１５Ｃの押下操作が終了したか、若しくは左ボタン１５Ｃが未だ押下操作されていないこと意味しており、このときステップＳＰ１４へ移る。
【００４５】
ステップＳＰ１４において制御部２は、左ボタン１５Ｃが押下操作され続けているか否かを判断するようになされており、ここで肯定結果が得られると、このことは左ボタン１５Ｃが押下操作され続けている状態、すなわちポインタ１０６によって映像オブジェクト１０７Ａがドラッグされている状態であることを意味しており、次のステップＳＰ１５へ移る。
【００４６】
このとき制御部２は、例えば図７に示すように、ポインタ１０６によって映像オブジェクト１０７Ａが保持されている状況を表示することにより、ポインタ１０６によって映像オブジェクト１０７Ａがドラッグされている状態であることをユーザに対して認識させるようになされている。
【００４７】
ステップＳＰ１５において制御部２は、メモリ３における第１の属性情報を消去せずに記憶し続けて、上述のステップＳＰ１１へ再度戻る。
【００４８】
３度目のステップＳＰ１１において制御部２は、左ボタン１５Ｃが押下操作されたか否かを再度判断し、ここで否定結果が得られると、このことは左ボタン１５Ｃが押下操作され続けているか、左ボタン１５Ｃの押下操作が終了したか、若しくは左ボタン１５Ｃが未だ押下操作されていないこと意味しており、このときステップＳＰ１４へ移る。
【００４９】
２度目のステップＳＰ１４において制御部２は、左ボタン１５Ｃが押下操作され続けているか否かを判断するようになされており、ここで否定結果が得られると、このことは左ボタン１５Ｃの押下操作が終了したか、左ボタン１５Ｃが未だ押下操作されていないことを意味しており、次のステップＳＰ１６へ移る。
【００５０】
ステップＳＰ１６において制御部２は、左ボタン１５Ｃの押下操作が終了したか否かを判断するようになされており、ここで否定結果が得られると、このことは左ボタン１５Ｃが未だ押下操作されていないことを意味しており、上述のステップＳＰ１１に戻って左ボタン１５Ｃの押下操作を待ち受ける。
【００５１】
これに対してステップＳＰ１６において肯定結果が得られると、このことは左ボタン１５Ｃの押下操作が終了した、すなわち、ポインタ１０６によって映像オブジェクト１０７Ａがテレビ番組管理画面１００におけるユーザ任意の位置にドロップされたことを意味しており、次のステップＳＰ１７へ移る。
【００５２】
ステップＳＰ１７において制御部２は、左ボタン１５Ｃの押下操作が終了した際、ポインタ１０６が視聴オブジェクト１０２Ａ、１０２Ｂ、録画オブジェクト１０３、静止画像キャプチャオブジェクト１０４、番組情報表示オブジェクト１０５の何れかの上に位置していたか否かを判断するようになされており、例えばポインタ１０６の位置していた場所が番組情報表示オブジェクト１０５上であった、すなわち、例えば図８に示すようにポインタ１０６によって映像オブジェクト１０７Ａが番組情報表示オブジェクト１０５上にドロップされた（映像オブジェクト１０７Ａと番組情報表示オブジェクト１０５とが重なりあった状態）と判断すると、次のステップＳＰ１８へ移る。
【００５３】
これに対してステップＳＰ１７において、ポインタ１０６が視聴オブジェクト１０２Ａ、１０２Ｂ、録画オブジェクト１０３、静止画像キャプチャオブジェクト１０４、番組情報表示オブジェクト１０５の何れの上にも位置していなかったと判断すると、このとき制御部２はステップＳＰ１９へ移る。
【００５４】
ステップＳＰ１８において制御部２は、番組情報表示オブジェクト１０５に対応するプログラム（すなわち、番組情報表示プログラム）のプログラム名称「番組情報表示プログラム」を第２の属性情報としてメモリ３に一時記憶し、次のサブルーチンＳＲＴ１へ移って起動処理の実行を開始するようになされている。
【００５５】
このようにして制御部２は、操作入力部１５を介してドラッグ操作とドロップ操作（つまり、ドラッグアンドドロップ操作）が行われることにより、チャンネル番号「１」に対応する映像オブジェクト１０７Ａと番組情報表示オブジェクト１０５とが関連付けられたことを認識すると、映像オブジェクト１０７Ａの属性情報（つまり、チャンネル番号「１」）を第１の属性情報としてメモリ３に一時記憶すると共に、番組情報表示オブジェクト１０５の属性情報（つまり、プログラム名称「番組情報表示プログラム」）を第２の属性情報としてメモリ３に一時記憶するようになされている。
【００５６】
ここで制御部２は、図６に示す起動処理手順ＳＲＴ１のステップＳＰ２０から入って、次のステップＳＰ２１へ移る。
【００５７】
ステップＳＰ２１において制御部２は、第２の属性情報としてメモリ３に一時記憶中のプログラム名称が「映像表示プログラム」であるか否かを判断するようになされており、当該一時記憶中のプログラム名称が「映像表示プログラム」ではなく「番組情報表示プログラム」であると、次のステップＳＰ２２へ移る。
【００５８】
ところでステップＳＰ２１において制御部２は、例えば第２の属性情報としてメモリ３に一時記憶中のプログラム名称が仮に「映像表示プログラム」であった場合、次のステップＳＰ２３へ移る。そしてステップＳＰ２３において制御部２は、映像表示プログラムに従って、第１の属性情報としてメモリ３に一時記憶中のチャンネル番号「１」に対応するテレビ番組「おはようニュース」を映像表示処理することにより、例えば図９に示すように視聴オブジェクト１０２Ａ上にテレビ番組「おはようニュース」の映像をリアルタイムで表示するようになされている。
【００５９】
ステップＳＰ２２において制御部２は、第２の属性情報としてメモリ３に一時記憶中のプログラム名称が「録画プログラム」であるか否かを判断するようになされており、当該一時記憶中のプログラム名称が「録画プログラム」ではなく「番組情報表示プログラム」であると、次のステップＳＰ２４へ移る。
【００６０】
ところでステップＳＰ２２において制御部２は、例えば第２の属性情報としてメモリ３に一時記憶中のプログラム名称が仮に「録画プログラム」であった場合、次のステップＳＰ２５へ移る。そしてステップＳＰ２５において制御部２は、録画プログラムに従って、第１の属性情報としてメモリに一時記憶中のチャンネル番号「１」に対応するテレビ番組「おはようニュース」を録画処理するようになされている。
【００６１】
ステップＳＰ２４において制御部２は、第２の属性情報としてメモリ３に一時記憶中のプログラム名称が「静止画像キャプチャプログラム」であるか否かを判断するようになされており、当該一時記憶しているプログラム名称が「静止画像キャプチャプログラム」ではなく「番組情報表示プログラム」であると、次のステップＳＰ２６へ移る。
【００６２】
ところでステップＳＰ２４において制御部２は、例えば第２の属性情報としてメモリ３に一時記憶中のプログラム名称が仮に「静止画像キャプチャプログラム」であった場合、次のステップＳＰ２７へ移る。そしてステップＳＰ２７において制御部２は、静止画像キャプチャプログラムに従って、第１の属性情報としてメモリ３に一時記憶中のチャンネル番号「１」に対応するテレビ番組「おはようニュース」を静止画像キャプチャ処理することにより、当該テレビ番組「おはようニュース」の１シーンを静止画像としてハードディスクドライブ１１に記録するようになされている。
【００６３】
ステップＳＰ２６において制御部２は、第２の属性情報としてメモリ３に一時記憶中のプログラム名称が「番組情報表示プログラム」であるか否かを判断するようになされており、当該一時記憶しているプログラム名称が「番組情報表示プログラム」であると、次のステップＳＰ２８へ移る。
【００６４】
ステップＳＰ２８において制御部２は、番組情報表示プログラムに従って、第１の属性情報としてメモリ３に一時記憶中のチャンネル番号「１」に対応するテレビ番組「おはようニュース」を番組情報表示処理することにより、例えば図１０に示すようなテレビ番組「おはようニュース」の番組情報を記した番組情報子画面１２０を表示部６に表示し、この後、次のステップＳＰ２９へ移って起動処理を終了し、ドラッグアンドドロップ操作検出処理手順ＲＴ２（図５）のステップＳＰ１９へ復帰する。
【００６５】
そしてステップＳＰ１９において制御部２は、メモリ３に一時記憶中の第１及び第２の属性情報を記憶消去し、上述のステップＳＰ１１へ移って新たに左ボタン１５Ｃが押下操作されるのを待ち受けるようになされている。
【００６６】
このように制御部２は、第１の属性情報及び第２の属性情報としてチャンネル番号「１」及びプログラム名称「番組情報表示プログラム」がメモリ３に一時記憶されていると、当該チャンネル番号「１」に対応するテレビ番組「おはようニュース」を、番組情報表示プログラムに従って番組情報表示処理するようになされている。
【００６７】
（２−２）サムネイル生成処理
次に、テレビ番組管理処理手順ＲＴ１のステップＳＰ３において、上述のドラッグアンドドロップ操作検出処理と共に実行開始されるサムネイル生成処理を、図１１、図１２及び図１３に示すフローチャートを用いて説明する。
【００６８】
すなわち制御部２は、図１１に示すサムネイル生成処理手順ＲＴ３のステップＳＰ３０から入って次のサブルーチンＳＲＴ２へ移りチャンネル初期設定処理を実行する。つまり制御部２は、図１２に示すチャンネル初期設定処理手順ＳＲＴ２のステップＳＰ４０から入って、次のステップＳＰ４１へ移る。
【００６９】
ステップＳＰ４１において制御部２は、例えば初期設定値として「０」が予め設定されているチャンネル番号カウンタＩ（ここで、Ｉは変数）をインクリメントすることにより、当該チャンネル番号カウンタＩに対して「１」を設定し、次のステップＳＰ４２へ移る。
【００７０】
ステップＳＰ４２において制御部２は、第１テレビチューナ１８Ａ、第２テレビチューナ１８Ｂ及び第３テレビチューナ１８Ｃの何れかを制御してチャンネル番号カウンタＩの設定値「１」に対応するチャンネル番号「１」の選局処理及び復調処理を実行することにより、当該チャンネル番号「１」においてテレビ信号が検出可能か判断するようになされており、ここで否定結果が得られると、このことはかかるチャンネル番号カウンタＩの設定値「１」に対応するチャンネル番号「１」においてテレビ番組が放送されていないことを意味しており、ステップＳＰ４４へ移る。
【００７１】
これに対してステップＳＰ４２において肯定結果が得られると、このことはかかるチャンネル番号カウンタＩの設定値「１」に対応するチャンネル番号「１」において例えばテレビ番組「おはようニュース」が放送されていることを意味しており、このとき制御部２は、次のステップＳＰ４３へ移る。
【００７２】
ステップＳＰ４３において制御部２は、テレビ番組管理画面１００（図３）における縮小映像表示領域１０１Ａ￣１０１Ｉのうち例えば縮小映像表示領域１０１Ａと、テレビ番組「おはようニュース」の放送が確認されたチャンネル番号「１」とを対応付ける情報を生成し、当該生成した情報をサムネイル生成定義ファイルに記して、次のステップＳＰ４４へ移る。
【００７３】
ここでサムネイル生成定義ファイルとは、例えばハードディスクドライブ１１に対して予め記憶保存されているテキスト形式のファイルであり、テレビ番組の放送が確認された複数チャンネルのチャンネル番号のそれぞれと縮小映像表示領域１０１Ａ￣１０１Ｉのそれぞれとを１対１で対応付ける情報が記されるようになされている。
【００７４】
ステップＳＰ４４において制御部２は、チャンネル番号カウンタＩの設定値が「６２」となっているか否かを判断し、ここで否定結果が得られると、このことは６２個のチャンネル番号の全てに対してテレビ番組が放送されているか否かを確認し終えていないことを意味しており、このときステップＳＰ４１へ移って上述の処理を繰り返すことにより、６２個のチャンネル番号の全てに対してテレビ番組が放送されているか否かを確認する。
【００７５】
これに対してステップＳＰ４４において肯定結果が得られると、このことは６２個のチャンネル番号の全てに対してテレビ番組が放送されているか否かを確認し、この結果、テレビ番組の放送が確認された複数のチャンネル番号のそれぞれと縮小映像表示領域１０１Ａ￣１０１Ｉのそれぞれとを１対１で対応付けた情報をサムネイル生成定義ファイルに記し終えたこと意味しており、このとき制御部２は、次のステップＳＰ４５へ移ってチャンネル初期設定処理手順ＳＲＴ２を終了し、サムネイル生成処理手順ＲＴ２（図１１）のステップＳＰ３１へ復帰する。
【００７６】
ステップＳＰ３１において制御部２は、サムネイル生成定義ファイルを参照することにより、当該サムネイル生成定義ファイルに記された複数のチャンネル番号のうち例えば任意で１つのチャンネル番号「１」を選択してこれを映像オブジェクト表示対象として認識し、次のサブルーチンＳＲＴ３に移って映像オブジェクト表示処理を実行する。すなわち制御部２は、図１３に示す映像オブジェクト表示処理手順ＳＲＴ３のステップＳＰ５０から入って、次のステップＳＰ５１へ移る。
【００７７】
ステップＳＰ５１において制御部２は、例えば第１テレビチューナ１８Ａ、第１ビデオデコーダ１９Ａ及びＭＰＥＧエンコーダ５を制御することにより、上述のステップＳＰ３１において映像オブジェクト表示対象として認識したチャンネル番号「１」に対応するテレビ番組「おはようニュース」の映像から現時点の１シーンを静止画像として得、次のステップＳＰ５２へ移る。
【００７８】
ステップＳＰ５２において制御部２は、チャンネル番号「１」に対応するテレビ番組「おはようニュース」の静止画像に対して所定の画像加工処理を施すことにより、当該チャンネル番号「１」をユーザに認識させるためのマークＭＫ１をかかる静止画像に対して合成し、合成後の静止画像に対して所定のオブジェクト生成処理を施すことにより、例えば図１４に示すような当該静止画像を絵柄とした映像オブジェクト１０７Ａを生成し、次のステップＳＰ５３へ移る。
【００７９】
ステップＳＰ５３において制御部２は、サムネイル生成定義ファイルを参照することによりチャンネル番号「１」に対応付けられた縮小映像表示領域１０１Ａを認識した後、当該縮小映像表示領域１０１Ａに対してテレビ番組「おはようニュース」の映像オブジェクト１０７Ａを表示し、次のステップＳＰ５４へ移って映像オブジェクト表示処理手順ＳＲＴ３を終了し、サムネイル生成処理手順ＲＴ３のステップＳＰ３２へ復帰する。
【００８０】
ステップＳＰ３２において制御部２は、サムネイル生成定義ファイルに記された全てのチャンネル番号を映像オブジェクト表示対象として認識したか否かを判断するようになされており、ここで否定結果が得られると、このことはサムネイル生成定義ファイルに記された全てのチャンネル番号を映像オブジェクト表示対象として認識していないことを意味しており、このときステップＳＰ３１へ戻って上述の処理を繰り返す。
【００８１】
これに対してステップＳＰ３２において肯定結果が得られると、このことは、例えば図４に示すように、サムネイル生成定義ファイルに記された全てのチャンネル番号に対応する複数種類の映像オブジェクト１０７Ａ￣１０７Ｉをテレビ番組管理画面１００上に表示し終えたことを表しており、このときステップＳＰ３３へ移る。
【００８２】
このようにして制御部２は、現在放送されている複数種類のテレビ番組のそれぞれの映像に対応した絵柄でなる複数種類の映像オブジェクト１０７Ａ￣１０７Ｉを表示部６に表示することにより、ユーザに対して複数種類のテレビ番組の内容を容易に吟味させ得るようになされている。
【００８３】
ステップＳＰ３３において制御部２は、操作入力部１５を介してサムネイル表示フレーム１０１における全ての映像オブジェクト１０７Ａ￣１０７Ｉを一括更新するためのサムネイル一括更新操作が行われたか否かを判断するようになされており、ここで肯定結果が得られると、このことはサムネイル一括更新操作が行われたことを意味し、上述のステップＳＰ３１へ移る。そして制御部２は、サムネイル生成定義ファイルに記された情報に基づいて、ステップＳＰ３１−サブルーチンＳＲＴ３−ステップＳＰ３２の処理を再度繰り返し実行することにより、サムネイル表示フレーム１０１における全ての映像オブジェクト１０７Ａ￣１０７Ｉの絵柄を複数種類のテレビ番組の最新映像に対応させるようになされている。
【００８４】
これに対してステップＳＰ３３において否定結果が得られると、このことはサムネイル一括更新操作が行われていないことを意味し、このとき制御部２は、次のステップＳＰ３４へ移る。
【００８５】
ステップＳＰ３４において制御部２は、映像表示プログラムに従って映像表示処理を実行しているか否かを判断するようになされており、ここで否定結果が得られると、このとき上述のステップＳＰ３３へ戻る。
【００８６】
これに対してステップＳＰ３４において肯定結果が得られると、このことは何らかのテレビ番組（例えば、チャンネル番号「１」に対応するテレビ番組「おはようニュース」）が視聴オブジェクト１０２Ａ又は１０２Ｂ（例えば、視聴オブジェクト１０２Ａ）に表示中であることを意味しており、このとき制御部２は、次のステップＳＰ３５へ移る。
【００８７】
ステップＳＰ３５において制御部２は、サムネイル表示フレーム１０１に対してテレビ番組「おはようニュース」の映像オブジェクト１０７Ａを表示開始した後、所定期間が経過しているかを判断するようになされており、ここで否定結果が得られると、上述のステップＳＰ３３へ移る。
【００８８】
これに対してステップＳＰ３５において肯定結果が得られると、このことは所定期間が経過したことによって、視聴オブジェクト１０２Ａ上にリアルタイム表示しているテレビ番組「おはようニュース」の現在のシーンと、映像オブジェクト１０７Ａの絵柄とが、その内容において著しく対応していない可能性が高いことを意味しており、このとき制御部２はサブルーチンＳＲＴ４に移って、上述のサブルーチンＳＲＴ３における映像オブジェクト表示処理（図１３）と同様の処理を実行する。
【００８９】
すなわちサブルーチンＳＲＴ４において制御部２は、映像オブジェクト表示処理を実行することにより、チャンネル番号「１」に対応するテレビ番組「おはようニュース」の最新シーンの静止画像を絵柄とした新たな映像オブジェクト１０７を生成した後、当該生成した新たな映像オブジェクト１０７を以前の映像オブジェクト１０７と置換して表示し、上述のステップＳＰ３３へ戻る。
【００９０】
このようにして制御部２は、視聴オブジェクト１０２Ａ上にリアルタイム表示しているテレビ番組「おはようニュース」と映像オブジェクト１０７とが対応したものであることをユーザに対して常に認識させ得るようになされている。
【００９１】
（３）動作及び効果
以上の構成において、制御部２は、操作入力部１５を介して所定操作が行われることによりテレビ番組管理プログラムが起動されると、現在放送されている複数種類のテレビ番組の映像に対応した絵柄でなる複数種類の映像オブジェクト１０７Ａ￣１０７Ｉを表示部６に表示すると共に、映像表示プログラム、録画プログラム、静止画像キャプチャプログラム及び番組情報表示プログラムのそれぞれと対応付けられた視聴オブジェクト１０２Ａ、１０２Ｂ、録画オブジェクト１０３、静止画像キャプチャオブジェクト１０４及び番組情報表示オブジェクト１０５を表示部６に表示する。
【００９２】
かくしてユーザは、映像オブジェクト１０７Ａ￣１０７Ｉの絵柄を視認することにより、例えば視聴したいテレビ番組（例えば、チャンネル番号「１」に対応するテレビ番組「おはようニュース」）の映像オブジェクト１０７Ａを容易に特定することができる。
【００９３】
そして制御部２は、操作入力部１５を介してドラッグアンドドロップ操作が行われることにより、例えば映像オブジェクト１０７Ａと視聴オブジェクト１０２Ａとが関連付けられたことを認識すると、映像オブジェクト１０７Ａに対応するテレビ番組「おはようニュース」を、視聴オブジェクト１０２に対応付けられた映像表示プログラムに従って映像表示処理することにより、当該テレビ番組「おはようニュース」の映像を表示部６にリアルタイムで表示する。
【００９４】
このようにユーザは、映像オブジェクト１０７Ａと視聴オブジェクト１０２Ａとを関連付ける操作を行うだけで、視聴したいテレビ番組「おはようニュース」を確実に映像表示処理させることができる。
【００９５】
以上の構成によれば、ユーザは複数種類の映像オブジェクト１０７Ａ￣１０７Ｉのそれぞれの絵柄を視認することにより、所望のテレビ番組に対応する映像オブジェクトを容易に特定することができると共に、当該特定した映像オブジェクトと、所望の処理（例えば、映像表示処理）を実行するためのプログラム（この場合、映像表示プログラム）に対応付けられたオブジェクト（この場合、視聴オブジェクト１０２Ａ）とを関連付ける操作を行うだけで、かかる所望のテレビ番組を対象とした所望の処理を確実に実行開始させることができる。これにより、所望のテレビ番組を対象とした所望の処理を迅速に実行開始させることができる。
【００９６】
（４）他の実施の形態
なお上述の実施の形態においては、例えばドラッグアンドドロップ操作が行われることによって、テレビ番組「おはようニュース」の映像オブジェクト１０７Ａがドラッグされた後、当該映像オブジェクト１０７Ａが視聴オブジェクト１０２Ａ上にドロップされると、これを契機としてテレビ番組「おはようニュース」を映像表示処理する場合について述べたが、本発明はこれに限らず、視聴オブジェクト１０２Ａがドラッグされた後、当該視聴オブジェクト１０２Ａがテレビ番組「おはようニュース」の映像オブジェクト１０７Ａ上にドロップされると、当該テレビ番組「おはようニュース」を映像表示処理するようにしても良い。このように、視聴オブジェクト１０２Ａ、１０２Ｂ、録画オブジェクト１０３、静止画像キャプチャオブジェクト１０４及び番組情報表示オブジェクト１０５の何れかがドラッグされた後、映像オブジェクト１０７Ａ￣１０７Ｉ上の何れかにドロップされると、当該ドロップ先の映像オブジェクトに対応するテレビ番組を、当該ドラッグされたオブジェクトに対応するプログラムで処理するようにしても良い。
【００９７】
また上述の実施の形態においては、サムネイル一括更新操作が行われたとき（ステップＳＰ３３（図１１））、サムネイル表示フレーム１０１における映像オブジェクト１０７Ａ￣１０７Ｉを全て一括で更新する（ステップＳＰ３１−サブルーチンＳＲＴ３−ステップＳＰ３２の繰り返し）場合について述べたが、本発明はこれに限らず、所定期間が経過すると、自動的にサムネイル表示フレーム１０１における映像オブジェクト１０７Ａ￣１０７Ｉを全て一括で更新する（ステップＳＰ３１−サブルーチンＳＲＴ３−ステップＳＰ３２の繰り返し）ようにしても良く、このように映像オブジェクト１０７Ａ￣１０７Ｉを逐次更新するようにすれば、ユーザに対して現在放送されている複数種類のテレビ番組の最新映像を適宜視認させることができる。
【００９８】
このとき制御部２がサムネイル表示フレーム１０１における映像オブジェクト１０７Ａ￣１０７Ｉを自動的に一括更新するために第１テレビチューナ１８Ａ及び第１ビデオデコーダを占有使用したとしても、残りの第２テレビチューナ１８Ｂ及び第２ビデオデコーダや第３テレビチューナ１８Ｃ及び第３ビデオデコーダを使用し得ることにより、映像表示処理や録画処理等、テレビチューナを使用するこの他種々の処理を同時に実行することができる。
【００９９】
さらに上述の実施の形態においては、制御部２は、例えばドラッグアンドドロップ操作が行われることによって、テレビ番組「おはようニュース」の映像オブジェクト１０７Ａがドラッグされた後、当該映像オブジェクト１０７Ａが視聴オブジェクト１０２Ａ上にドロップされると、映像オブジェクト１０７Ａと視聴オブジェクト１０２Ａとを関連付けて認識する場合について述べたが、本発明はこれに限らず、例えば、テレビ番組「おはようニュース」の映像オブジェクト１０７Ａがクリック（すなわち、指定）された後、視聴オブジェクト１０２Ａがクリックされると、映像オブジェクト１０７Ａと視聴オブジェクト１０２Ａとを関連付けて認識するようにしても良い。
【０１００】
さらに上述の実施の形態においては、現在放送されているテレビ番組の映像を絵柄とした映像オブジェクトを表示部６に表示する場合について述べたが、本発明はこれに限らず、例えばノートパソコン１によって録画済のテレビ番組やＤＶＤ（Ｄｉｇｉｔａｌ　Ｖｅｒｓａｔｉｌｅ　Ｄｉｓｋ）若しくはビデオテープ等に記録された映画等のコンテンツ、インターネットを介して配信されるコンテンツ等、この他種々のコンテンツの映像を絵柄とした映像オブジェクトを表示部６に表示し、当該映像オブジェクトに対応するこれら種々コンテンツを対象として映像表示処理や静止画像キャプチャ処理等を実行するようにしても良い。
【０１０１】
さらに上述の実施の形態においては、キーボード１５Ａ、タッチパッド１５Ｂ、左ボタン１５Ｃ及び右ボタン１５Ｄでなる操作入力部１５を介して、例えば映像オブジェクト１０７Ａと視聴オブジェクト１０２Ａとを関連付ける操作（すなわち、ドラッグアンドドロップ操作）が行われる場合について述べたが、本発明はこれに限らず、例えば、タッチスクリーン（Ｔｏｕｃｈ　Ｓｃｒｅｅｎ）等のこの他種々のデバイスを介して、例えば映像オブジェクト１０７Ａと視聴オブジェクト１０２Ａとを関連付ける操作が行われるようにしても良い。
【０１０２】
さらに上述の実施の形態においては、コンテンツ管理装置としてのノートパソコン１に対して本発明を適用した場合について述べたが、これに限らず、例えば、デスクトップ型パーソナルコンピュータやビデオテープレコーダ、ＣＳ（Ｃｏｍｍｕｎｉｃａｔｉｏｎｓ　Ｓａｔｅｌｌｉｔｅ）チューナ装置又はテレビジョン等、コンテンツに関連した処理を実行するこの他種々のコンテンツ管理装置に対して本発明を適用するようにしても良い。
【０１０３】
さらに上述の実施の形態においては、映像表示プログラム、録画プログラム、静止画像キャプチャプログラム、番組情報表示プログラム等のコンテンツ処理プログラムに対応付けられた、視聴オブジェクト１０２Ａ、１０２Ｂ、録画オブジェクト１０３、静止画像キャプチャオブジェクト１０４及び番組情報表示オブジェクト１０５等のプログラム起動オブジェクトを表示する表示手段として、液晶ディスプレイでなる表示部６を適用する場合について述べたが、本発明はこれに限らず、テレビジョンやＣＲＴ（Ｃａｔｈｏｄｅ　Ｒａｙ　Ｔｕｂｅ）ディスプレイ等を表示手段として適用するようにしても良い。
【０１０４】
さらに上述の実施の形態においては、映像オブジェクトとプログラム起動オブジェクトとが関連付けられたことを検出する検出手段として、テレビ番組管理プログラムを実行する制御部２等を適用する場合について述べたが、本発明はこれに限らず、例えば、ＭＰＵ（Ｍｉｃｒｏ　Ｐｒｏｃｅｓｓｏｒ　Ｕｎｉｔ）等を検出手段として適用するようにしても良い。
【０１０５】
さらに上述の実施の形態においては、検出手段によって関連付けが検出された映像オブジェクトに対応するコンテンツを、検出手段によって関連付けが検出されたプログラム起動オブジェクトに対応するコンテンツ処理プログラムで処理する処理手段として、テレビ番組管理プログラムを実行する制御部２等を適用する場合について述べたが、本発明はこれに限らず、例えば、ＭＰＵ等を処理手段として適用するようにしても良い。
【０１０６】
さらに上述の実施の形態においては、コンテンツの映像に基づいて映像オブジェクトの絵柄を逐次更新する絵柄更新手段として、テレビ番組管理プログラムを実行する制御部２等を適用する場合について述べたが、本発明はこれに限らず、例えば、ＭＰＵ等を絵柄更新手段として適用するようにしても良い。
【０１０７】
さらに上述の実施の形態においては、映像オブジェクト及びプログラム起動オブジェクトを重ね合わせた状態で表示手段に対して表示する表示制御手段として、表示制御部７を適用する場合について述べたが、本発明はこれに限らず、ビデオカード等を表示制御手段として適用するようにしても良い。
【０１０８】
さらに上述の実施の形態においては、コンテンツの映像を表示する映像表示手段、及びコンテンツの付随情報（すなわち、番組情報）を表示する付随情報表示手段として表示部６を適用する場合について述べたが、本発明はこれに限らず、テレビジョン等を映像表示手段及び付随情報表示手段として適用するようにしても良い。
【０１０９】
さらに上述の実施の形態においては、コンテンツの映像を記憶する記憶手段としてハードディスクドライブ１１を適用する場合について述べたが、本発明はこれに限らず、半導体メモリやビデオテープ等を記憶手段として適用するようにしても良い。
【０１１０】
さらに上述の実施の形態においては、ノートパソコン１のハードディスクドライブ１１にコンテンツ管理プログラムとしてのテレビ番組管理プログラムが予めインストールされている場合について述べたが、本発明はこれに限らず、テレビ番組管理プログラムが格納されている例えばＣＤ−ＲＯＭ（Ｃｏｍｐａｃｔ　Ｄｉｓｃ　Ｒｅａｄ　Ｏｎｌｙ　Ｍｅｍｏｒｙ）、ＤＶＤ−ＲＯＭ（Ｄｉｇｉｔａｌ　Ｖｉｄｅｏ　Ｄｉｓｃ　Ｒｅａｄ　Ｏｎｌｙ　Ｍｅｍｏｒｙ）等のパッケージメディアでなるプログラム格納媒体を再生することにより、テレビ番組管理プログラムをインストールしても良く、またテレビ番組管理プログラムが一時的若しくは永続的に格納される半導体メモリや光磁気ディスク等のプログラム格納媒体を再生することによりテレビ番組管理プログラムをインストールしても良い。
【０１１１】
コンテンツ管理プログラム格納媒体としてのこれらプログラム格納媒体に対してテレビ番組管理プログラムを格納する手段としてはローカルエリアネットワーク、ディジタル衛星放送等の有線及び無線通信媒体を利用しても良く、ルータやモデム等の各種通信インターフェースを介在させて格納するようにしても良い。
【０１１２】
【発明の効果】
上述のように本発明によれば、ユーザは所望のコンテンツに対応する映像オブジェクトと、所望の処理を実行するためのプログラムに対応付けられたプログラム起動オブジェクトとを関連付ける操作を行うだけで、かかる所望のコンテンツを対象とした所望の処理を確実に実行開始させることができる。これにより、所望のコンテンツを対象とした所望の処理を迅速に実行開始させることができる。
【図面の簡単な説明】
【図１】本発明におけるノート型パーソナルコンピュータの回路構成を示す略線図である。
【図２】テレビ番組管理処理手順を示すフローチャートである。
【図３】テレビ番組管理画面（１）を示す略線図である。
【図４】テレビ番組管理画面（２）を示す略線図である。
【図５】ドラッグアンドドロップ操作検出処理手順を示すフローチャートである。
【図６】起動処理手順を示すフローチャートである。
【図７】テレビ番組管理画面（３）を示す略線図である。
【図８】テレビ番組管理画面（４）を示す略線図である。
【図９】テレビ番組管理画面（５）を示す略線図である。
【図１０】テレビ番組管理画面（６）を示す略線図である。
【図１１】サムネイル生成処理手順を示すフローチャートである。
【図１２】チャンネル初期設定処理手順を示すフローチャートである。
【図１３】映像オブジェクト表示処理手順を示すフローチャートである。
【図１４】映像オブジェクトを示す略線図である。
【符号の説明】
１……ノートパソコン、２……制御部、６……表示部、ＲＴ１……テレビ番組管理処理手順、ＲＴ２……ドラッグアンドドロップ操作検出処理手順、ＲＴ３……サムネイル生成処理手順。
【図１】
2004104714.tif 000003
【図２】
2004104714.tif 000004
【図３】
2004104714.tif 000005
【図４】
2004104714.tif 000006
【図５】
2004104714.tif 000007
【図６】
2004104714.tif 000008
【図７】
2004104714.tif 000009
【図８】
2004104714.tif 000010
【図９】
2004104714.tif 000011
【図１０】
2004104714.tif 000012
【図１１】
2004104714.tif 000013
【図１２】
2004104714.tif 000014
【図１３】
2004104714.tif 000015
【図１４】
2004104714.tif 000016